(57)【要約】  【課題】発光棚に発色機能を選択的に付加することができ、色の変更も自由に行うことができるようにした新規有用な面板発光装置を提供する。  【解決手段】導光板２１を有した棚板本体２と、この棚板本体２の後端２ａに沿って設けた横架材３と、この横架材３の内部に収容されて棚板本体２に光を導入する発光体４１とを具備するものにおいて、棚板本体２の後端２ａと発光体４１との間に着脱可能にフィルタ６を介在させることとした。  【選択図】図６
2005251438.tif 000002
【特許請求の範囲】
【請求項１】
導光板を有した面板本体と、この面板本体の後端に沿って設けた長尺部材と、この長尺部材に配置されて前記面板本体に光を導入する発光体とを具備してなるものにおいて、
前記面板本体の後端と前記発光体との間に、所定の色光を得るためのフィルタを着脱可能に介在させたことを特徴とする面板発光装置。
【請求項２】
前記長尺部材は、面板本体の後端に臨む開口を有する発光体収容空間を形成しており、この発光体収容空間内において、前記開口を介して当該発光体収容空間に収容した面板本体の後端と発光体との間にフィルタを介在させたものである請求項１記載の面板発光装置。
【請求項３】
発光体収容空間を開閉する位置に蓋を設け、この蓋を開成させてフィルタの着脱を行えるようにしている請求項２記載の面板発光装置。
【請求項４】
蓋は開口を拡開させる位置から開くものであり、蓋を開成させた状態で面板本体の後端を発光体収容空間に挿入して発光体に近接配置する操作をフィルタの着脱に併せて行えるようにしている請求項３記載の面板発光装置。
【請求項５】
面板本体を挿入した後に蓋を閉止することによって、面板本体が開口から抜脱する方向へ変位することを禁止する制止機構を面板本体と蓋との間に形成している請求項４記載の面板発光装置。
【請求項６】
フィルタが、単体で若しくは複数枚が集合することによって長手方向に色の異なる複数の色光領域を形成している請求項１〜５記載の面板発光装置。
【請求項７】
フィルタが、少なくとも一部に光の遮断領域を形成している請求項１〜６記載の面板発光装置。
【請求項８】
フィルタが、ポリエステル製の着色フィルムにラミネート加工を施したものである請求項１〜７記載の面板発光装置。
【請求項９】
面板本体が棚板本体であり、長尺部材が横架材である請求項１〜８記載の面板発光装置。
【請求項１０】
面板発光装置を構成するものであって、長さが面板幅に略等しく、幅が面板厚に略等しいものであることを特徴とするフィルタ。
【請求項１１】
ポリエステル製の着色フィルムにラミネート加工を施して構成される請求項１０記載のフィルタ。
【発明の詳細な説明】
【技術分野】
【０００１】
本発明は、種々の物品を面板全体から照明する場合等に有用となる面板発光装置及びフィルタに関するものである。
【背景技術】
【０００２】
この種の面板発光装置として、例えば特許文献１に示されるように、導光板を有した棚板本体と、この棚板本体の後端に沿って設けた横架材と、この横架材の内部に収容されて前記棚板本体に光を導入する発光体とを具備し、横架材及び棚板本体の左右両端をブラケットを介して什器本体に支持させるようにした発光棚装置が知られている。
【特許文献１】実開平６−３８１１７号公報
【発明の開示】
【発明が解決しようとする課題】
【０００３】
ところで、かかる従来の発光棚装置は、単に発光体からの光を棚板本体に導入するようにしているだけである。このため、商品の展示効果や室内の装飾効果には一定の限界がある。
【０００４】
そこで、このような効果をより高めるために、棚を発色させることが一つの有効な手段として考えられる。そして、そのために発色機能を備えた発光体、例えばネオン管や、発光体の周囲にフィルタを巻き付けたものを用いることが具体的手段として想到し得る。しかし、ネオン管は封入するガスの種類によって発色が異なるため色違いに対応するためには別異のネオン管を使用しなければならず、目的・用途に応じて色を変更するにはコストが掛かる上に、長尺方向に沿って光色を異ならせる等の配色の変化もつけにくいという難点がある。一方、発光体の周囲にフィルムを巻き付けるものは、色違いに対応するためにフィルムを巻き変えるか、やはり発光体それ自体を変更しなければならず、ユーザー等に作業やコスト面での負担を強いるものである。
【０００５】
一方、発光体に依存せずに光色を変える手法として、棚板本体の木口に粘着テープを用いてフィルムを貼り付ける手法も考えられるが、色違いに対応するためにはやはりユーザー等に貼り替え作業を強いるか若しくは棚板の交換を要求することとなる。その上、この手法では棚板本体に陳列してある商品を撤去した状態で作業を行わなければならない点も不便であり、しかも棚板本体に前後方向が生じるため、取り付け間違い等が生じる原因ともなる。
【０００６】
本発明は、このような課題に着目してなされたものであって、棚を始めとして各種面板に発色機能を簡単に付与することができ、色の変更もユーザー等を煩わせることなく簡単に行えるようにした新規有用な面板発光装置を提供することを目的としている。
【課題を解決するための手段】
【０００７】
本発明は、かかる目的を達成するために、次のような手段を講じたものである。
【０００８】
すなわち、本発明の面板発光装置は、導光板を有した面板本体と、この面板本体の後端に沿って設けた長尺部材と、この長尺部材に配置されて前記面板本体に光を導入する発光体とを具備してなるものにおいて、前記面板本体の後端と前記発光体との間に、所定の色光を得るためのフィルタを着脱可能に介在させたことを特徴とする。なお、所定の色光を得ることには、発光体から照射される光のうち特定の光波長をフィルタで吸収して目に優しい照度、明るさの光に変換することも含まれる。
【０００９】
このようなものであると、フィルタを抜脱して別異のフィルタを挿入するだけで光色を変更することができるため、発光体に依存せずに済み、変更作業もユーザー等の手を殆ど煩わせることなく簡易に行うことができる。特に、面板本体に商品が陳列してある状態でも商品を撤去せずにフィルタの交換が行えるため、作業性はこの点でも一層良好なものとなる。
【００１０】
色光を効率良く導出するためには、前記長尺部材が面板本体の後端に臨む開口を有する発光体収容空間を形成しており、この発光体収容空間内において、前記開口を介して当該発光体収容空間に収容した面板本体の後端と発光体との間にフィルタを介在させていることが好ましい。
【００１１】
色光の変更等に便ならしめるためには、発光体収容空間を開閉する位置に蓋を設け、この蓋を開成させてフィルタの着脱を行えるようにしていることが望ましい。
【００１２】
フィルタを適切に介在させることを可能にするためには、蓋は開口を拡開させる位置から開くものとし、この蓋を開成させた状態で面板本体の後端を発光体収容空間に挿入して発光体に近接配置する操作をフィルタの着脱に併せて行えるようにしておくことが好ましい。
【００１３】
かかる位置関係を適切に保持するためには、面板本体を挿入した後に蓋を閉止することによって、面板本体が開口から抜脱する方向へ変位することを禁止する制止機構を面板本体と蓋との間に形成しておくことが好ましい。
【００１４】
視覚効果をより高めるためには、フィルタが、単体で若しくは複数枚が集合することによって長手方向に色の異なる複数の色光領域を形成するものであることが効果的である。
【００１５】
面板本体の仕様を変えずに発光領域を一部に限定するためには、フィルタが、少なくとも一部に光を遮断する部位を備えていることが好ましい。
【００１６】
好ましい適用例としては、面板本体が棚板本体であり、長尺部材が横架材であるものが挙げられる。
【００１７】
面板発光装置を構成するためには、フィルタは、長さが面板幅に略等しく、幅が面板厚に略等しい形態をなすことが好適であり、取扱いを容易にするためには、ポリエステル製の着色フィルムにラミネート加工を施して構成しておくことが好ましい。
【発明の効果】
【００１８】
本発明の面板発光装置によれば、面板本体に発色機能を簡単に付加することができ、色の変更もフィルタの面倒な貼り替えや商品の撤去等を伴わずにユーザー等の簡単な操作で自由に行うことができる。このため、取扱い簡単にして、商品ごとにイメージカラーを表現するなど、より陳列効果、装飾効果の高い照明装置としての幅広い利用が可能になる。例えば、例えば発光体に市販の蛍光灯を用いても、フィルタを介在させるだけで当該蛍光灯の所定性能をユーザーにて一定の範囲でアレンジすることができるようになる。
【発明を実施するための最良の形態】
【００１９】
以下、本発明の一実施形態を、図面を参照して説明する。
【００２０】
この実施形態の面板発光装置Ｚは、図１及び図２等に示すように、発光機能のある面板本体たる棚板本体２と、この棚板本体２の後端２ａに沿って設けた長尺部材たる横架材３と、この横架材３に配置されて前記棚板本体２に光を導入する発光体４１（図４参照）とを具備し、横架材３及び棚板本体２をブラケット５を介して自立性を有する什器本体１に支持させたものである。以下、具体的に説明する。
【００２１】
什器本体１は、一対の支柱１１、ベース１２及び上下の枠材１３を具備している。
【００２２】
支柱１１は、長手方向に所定ピッチでフック孔１１ａを開口させてなるもので、左右の支柱１１はフック孔１１ａの位置が整合しており、下端部間及び上端部間が上下の枠材１３によって接合されている。
【００２３】
ベース１２は、左右の支柱１１の下端に接合され、長手方向を上下の枠材１３と直交する方向に延出させてなるもので、延出端にそれぞれキャスタが取り付けられている。
【００２４】
棚板本体２は、図３（Ａ）〜（Ｃ）に模式的に示すように、導光板２１を主体として構成されている。同図（ａ）は導光板２１の斜視図であり、（ｂ）はそのＡ−Ａ線拡大断面図、（ｃ）はそのＢ−Ｂ線拡大断面図である。導光板２１は、透光性を有するアクリル板２１ａと、アクリル板２１ａの下面に設けた反射板２１ｂと、アクリル板２１ａの上面に設けた透明の保護シート２１ｃとを具備するもので、アクリル板２１ａの上面に短手方向に延びるＶ字溝２１ａ１が幅方向に沿って所定間隔で設けてあり、このＶ字溝２１ａ１が光りを拡散させる作用をなす。すなわち、アクリル板２１ａの後端に光が導入されると、光はアクリル板２１ａの板厚内を前端に向かって前進する。この間、反射板２１ｂにおいて反射した一部の光は、アクリル板２１ａを通過し、アクリル板２１ａから抜け出る際にＶ字溝２１ａ１の拡散作用で棚板本体２の上面に光を拡散させる。よって、この実施形態は棚板本体２の上面に載置された物品を下から照明する機能を有する。
【００２５】
勿論、Ｖ字溝２１ａ１及び保護シート２１ｃをアクリル板２１ａの下面側に設け、アクリル板２１ａの上面に反射板２１ｂを設けて導光板２１を構成してもよい。この場合は、下段側の棚板本体２に載置される物品を上段側の棚板本体２の下面から放出される光によって照明することになる。又は、これらを組み合わせれば、１つの棚板本体２の上下両面から光を導出する構造も容易に採用することができる。
【００２６】
なお、この棚板本体２の後端２ａ側における左右両端近傍には、図２に示すように、肉厚方向に貫通する掛止孔２１が設けてある。
【００２７】
横架材３は、図１、図２及び図４等に示すように、押し出し材よりなる中空体状の第１部材３１及び第２部材３２をジョイント材３３を介して上下に接合したもので、第１部材３１は横架材３の長手方向略全域に亘り、第２部材３２は横架材３の中央部に位置する。
【００２８】
前記第１部材３１内は、図４〜図５に示すように、発光体収容空間Ｓ１として設定されており、アパーチャ管等の発光体４１を差し込む電極を供えたコネクタＣを所定距離を隔てて対向配置している。この第１部材３１は、部材本体の頂壁の一部が、後端側に形成したヒンジＨを介して開閉可能な蓋３１ｂとされ、開放することによって発光体４１の着脱を行い得るものである。図５において符号ＳＴで示すものは発光体４１を取り出すときに利用する発光体取り出しシートであり、一端を第１部材３１内に固定され、途中を発光体４１の端部とコネクタＣとの間に介在させて、他端を上方に引き出したものである。このため、このシートＳＴを引くと、発光体４１が一方のコネクタＣから離れて、上方に引き出すことができる。勿論、このとき他方のコネクタＣが退避して、これによりコネクタＣ、Ｃ間の距離が一時的に広がる構造を有することが前提である。
【００２９】
発光体収容空間Ｓ１は、前述したように第１部材３１に設けた蓋３１ｂによって開閉可能とされたもので、第１部材３１には、図２及び図３に示すように蓋３１ｂを閉じた状態で略全巾に亘り前記発光体収容空間Ｓ１を棚板本体２側に開放する開口３１ａが形成されている。
【００３０】
また、前記第２部材３２内は、図４等に示すように、補助空間Ｓ２として設定されている。この補助空間Ｓ２には、発光体４１とともに照明具４を構成するインバータ等の安定器４２を収容するために必要な内寸が確保されている。
【００３１】
照明具４がアパーチャ管等の発光体４１とインバータなどの安定器４２とを少なくとも備えてのは上記の通りであるが、これ以外の部品等を備える場合には、補助空間Ｓ２内に収容される。
【００３２】
発光体４１は、横架材３の発光体収容空間Ｓ１に配置したコネクタＣ、Ｃ間に挿脱される。蓋３１ｂを開けて発光体４１を挿入し、蓋３１ｂを閉じると、発光体４１は図４に示すように前記第１部材３１の開口３１ａに臨む部位に位置づけられる。発光体４１と安定器４２は、図示しない結線を通じて接続され、安定器４２を介して発光体４１にゆらぎのない安定した給電がなされる。
【００３３】
ブラケット５は、図２に示すように、板状のブラケット本体５１の後端側に、支柱１１のフック孔１１ａに係合させ得る係合爪（図示省略）を突出させて設けたもので、支柱１１に取り付けた状態でブラケット本体５１を支柱１１から前方に突出させるようにしている。そして、このブラケット本体５１の突出端側の上端に棚載置面５１ａを設け、この棚載置面５１ａの後方、すなわちブラケット５の基端側の上端に横架材３を載置する横架材載置面５１ｂを設けている。横架材載置面５１ｂは、棚載置面５１ａの後方位置に窪ませて設けた凹所内に形成されており、凹所の前後寸法は前記横架材３の前後寸法に略対応し、深さは前記横架材３の端部領域を構成する第１部材３１の一部を挿入する寸法に設定されている。棚板本体２は、この横架材３の前方において棚載置面５１ａに載置される。
【００３４】
そして、横架材３を利用しその蓋３１ｂの開閉を通じて、前方に棚板本体２を位置決め固定するようにしている。蓋３１ｂは図４（ａ）、（ｂ）に示すように、開口３１ａを拡開させる位置から開くものであり、蓋３１ｂを開いた状態で棚板本体２の後端２ａを発光体収容空間Ｓ１に対して挿脱させ得るものである。そして、棚板本体２の後端２ａを横架材３の発光体収容空間Ｓ１に挿入し、蓋３１ｂを閉止することによって、棚板本体２の開口３１ａから抜脱する方向へ変位することを禁止する制止機構Ｍを、棚板本体２と蓋３１ｂとの間に形成している。この制止機構Ｍは、前記棚板本体２の後端２ａ側における左右両端近傍に設けた掛止孔２１に打ち込んで起立させたピン２２と、棚板本体２の後端２ａ側を第１部材３１内に挿入して蓋３１ｂを閉めた際に前記ピン２２と係り合うように蓋３１ｂの一部に設けた係合凹部ｍとから構成されている。
【００３５】
以上のように、本実施形態の面板発光装置Ｚは、導光板２１を有する棚板本体２から均一な発光を得るようにしており、しかも発光体４１が棚板本体２から離間した位置にあって棚板本体２の表面が蓄熱しないので、棚表面に陳列する化粧品等の商品に対する有効な視覚的効果が得られると同時に、商品の変質等も有効に回避することが可能となるものである。
【００３６】
このような構成に加えて、本実施形態は、図６に示すように棚板本体２の後端２ａと発光体４１との間に、所定の色光を得るためのフィルタ６を着脱可能に介在させている。
【００３７】
フィルタ６は、図７（ｂ）に示すように、ポリエステル製の着色フィルム６１の表裏にラミネート加工を施すことによって接着層６２及びラミネート層６３を形成したもので、同図（ａ）に示す長さ６Ｌが棚幅２Ｗに略対応し、幅６Ｗが棚厚２Ｔに略対応し、全体が細長のフィルム状ないしシート状をなす。同図（ｂ）に示す着色フィルム６１の厚み６１Ｔは略１５０μであり、それ自体可撓性を有するものであるが、ラミネート加工によって着色フィルム６１の表裏が適宜の厚みを有するラミネート層６３によりバックアップされるため、フィルタ６全体としてはある程度撓りを有するものの基本的には直線に近い形状を保持し得るものである。接着層６２には耐熱性のある適宜の接着剤が使用されている。
【００３８】
そして、このフィルタ６が、図６の発光体収容空間Ｓ１内において、開口３１ａを介して当該発光体収容空間Ｓ１に収容した棚板本体２の後端２ａと発光体４１との間に介在される。
【００３９】
前述したごとく横架材３には発光体収容空間Ｓ１を開閉する位置に蓋３１ｂが設けてあるため、フィルタ６の着脱はこの蓋３１ｂを開成させた状態で行う。蓋３１ｂは開口３１ａを拡開させる位置から開くため、蓋３１ｂを開成させた状態で先にフィルタ６を配置し、その上で棚板本体２の後端２ａを発光体収容空間Ｓ１に挿入していってフィルタ６を発光体４１との間に挟み込むか、或いは棚板本体２の後端２ａを挿入した後に当該後端２ａと発光体４１との隙間にフィルタ６を差し込むか、何れの手順によるかは随意である。
【００４０】
棚板本体２を挿入した後に蓋３１ｂを閉止すると、棚板本体２と蓋３１ｂとの間に形成される制止機構Ｍによって棚板本体２が開口３１ａから抜脱する方向へ変位することを禁止されるため、フィルタ６も所定位置から位置ずれを起こすことが禁止される。
【００４１】
フィルタ６を構成する着色フィルム６１は全体が赤、青、黄色など、所定の色光を導出するために単一色から構成されるのが基本であるが、図８に示すように、長手方向に色の異なる複数の色光領域（６１Ｘ、６１Ｙ、６１Ｚ）を形成するものであってもよい。この場合、単一の着色フィルム６１の色を途中で変化させる態様のほか、複数の色違いの着色フィルム６１を順次継ぎ合わせて全体で１つの着色フィルムを構成する態様も可能である。或いは、照度に問題がなければ、フィルタ６同士を厚み方向に重合させて色の混合を行う手法も採用し得る。また、部分的に発光しない領域を棚板本体２に設けたければ、特定の発光領域（例えば図８の６１Ｙ）に対応する着色フィルム６１に光を遮断する着色を施すことによって目的を達成することができる。
【００４２】
以上のように、本実施形態の面板発光装置Ｚは、棚板本体２の後端２ａと発光体４１との間に所定の色光を得るためのフィルタ６を着脱可能に介在させたものであり、フィルタ６を抜脱して別異のフィルタ６を挿入するだけで光色を変更することができるため、ユーザーサイドにおいても簡単な操作で種々のバリエーションを容易に試行、選択することが可能となり、カラーイメージを表すなど、商品に対する陳列効果や室内の装飾効果を飛躍的に高める演出ツールをユーザーに有効に提供することができる。
【００４３】
また、発光体収容空間Ｓ１内に開口３１ａを介して収容した棚板本体２の後端２ａと発光体４１との間にフィルタ６を介在させているため、発光体４１の光を即座に色光にして直近に位置する棚板本体２内に効率良く導光することができる。
【００４４】
特に、発光体収容空間Ｓ１を開閉する位置に蓋３１ｂを設け、この蓋３１ｂを開成させてフィルタ６の着脱を行えるようにしているため、面板発光装置Ｚを分解せずともフィルタ６の取り替えを簡単に行うことができ、発光体４１の交換を始めとして各種メンテナンスの便も有効に向上させることができる。
【００４５】
加えて、蓋３１ｂを開口３１ａを拡開させる位置から開くものとし、この蓋３１ｂを開成させた状態で棚板本体２の後端２ａを発光体収容空間Ｓ１に挿入して発光体４１に近接配置する操作をフィルタ６の着脱に併せて行えるようにしているため、棚板本体２と発光体４１とを適切な位置関係下に配置する作業を極めて簡便に行うことができ、その作業と絡めてフィルタ６を介在させる作業を適切に行うことが可能になる。
【００４６】
また、制止機構Ｍが棚板本体２の変位を禁止することで、フィルタ６が所定位置から位置ずれないし脱落することが有効に防止されるため、フィルタ６が薄肉で長尺なものであっても、これによる色光導出効果を適切に維持することが可能となる。
【００４７】
フィルタ６が、単体で若しくは複数枚が集合することによって長手方向に色の異なる複数の色光領域６１Ｘ等を形成するものであると、配色のバリエーションに自由度が得られるため、より陳列効果、装飾効果の高い態様を種々に追求することが可能となる。
【００４８】
フィルタ６が、少なくとも一部に光を遮断する部位を備えているものであると、棚板本体２全体が発光機能を有するものであっても、棚板本体２の一部のみを発光させる態様を、棚板本体２を別仕様のもの（すなわち発光を所望する部位のみに溝を形成したもの等）に取り替えることなく簡易に実現することができる。
【００４９】
さらに、本実施形態のごとくフィルタ６に、ポリエステル製の着色フィルムにラミネート加工を施したものを採用すれば、発光体４１に密接に配置しても耐熱性に優れ、またフィルム６に腰が出て長尺形状に保形し易くなるため、脱着作業を容易に行うことができ、装着状態も撓り等を生じることなく適正に保持することが可能になる。
【００５０】
特に、本実施形態は、面板本体として棚板本体２を用い、長尺部材として横架材３を用い、この横架材３に発光体４１及びフィルタ６を仕込んで棚板本体２に光色を導入するものであるため、各段ごとに色違いの発光棚を構成するなど、追求できるバリエーションをさらに豊富なものにすることができる。
【００５１】
なお、面板本体を立面体とし、長尺部材を支柱としても構わない。また、導光板には、一般に市販されているフローとガラスや、含有鉄分を抑えることによりガラス独特の青みを抜いて高透過率、高透明感を実現したいわゆる「高透過ガラス」等も好適に利用することができる。さらに、本発明の面板発光装置は、陳列棚のバックパネル、収納庫の棚板や側パネル、デスクに付帯するデスクトップパネルや棚板など、オフィスや住宅等の随所に配置される各種設備に好適に適用することができる。
【００５２】
その他、各部の具体的な構成は上述した実施形態のみに限定されるものではなく、本発明の趣旨を逸脱しない範囲で種々変形が可能である。
【図面の簡単な説明】
【００５３】
【図１】本発明の一実施形態を什器本体に適用した状態で示す斜視図。
【図２】図１の分解斜視図。
【図３】同実施形態に係る導光板の構成を示す概略的な説明図。
【図４】同実施形態に係る横架材の構成を示す拡大横断面図。
【図５】同実施形態に係る発光体の取付構造を説明する説明図。
【図６】同実施形態に係るフィルタの取付状態を示す図４に対応した断面図。
【図７】同実施形態に係るフィルタの構造及び棚板本体との関係を示す図。
【図８】同実施形態に係るフィルタのバリエーションを示す図７に対応した図。
【符号の説明】
【００５４】
２…面板本体（棚板本体）
２ａ…後端
３…長尺部材（横架材）
６…フィルタ
２１…導光板
３１ａ…開口
３１ｂ…蓋
４１…発光体
Ｍ…制止機構
Ｓ１…発光体収容空間
【図１】
2005251438.tif 000003
【図２】
2005251438.tif 000004
【図３】
2005251438.tif 000005
【図４】
2005251438.tif 000006
【図５】
2005251438.tif 000007
【図６】
2005251438.tif 000008
【図７】
2005251438.tif 000009
【図８】
2005251438.tif 000010